(57)【要約】【課題】快適な生活シーンを演出でき、しかも、メンテナンスも容易な照明付き植裁容器を提供する。【解決手段】照明付き植裁容器１は、透明なプラスチック材料を射出成形して製造したものであって、上段容器１０と、中段容器２０と、下段容器３０とから構成される。上段容器１０は、植え込み材料１１を収納する植え込み部１２を備え、中段容器２０内の水を利用した底面給水方式を採用している。各段の容器１０〜３０は、ダボとダボ孔とを利用して着脱可能である。下段容器３０内部には、ＬＥＤ発光ユニット４０が収納されている。ＬＥＤの光は、中段容器２０の水の層を通して植物４を照らし、容器本体２から外部へ漏れるので、水面の揺れや屈折、乱反射により、雰囲気のある光を放つ。ＬＥＤユニット４０の防水も十分であり、メンテナンスも容易である。【選択図】  図２
0003119789.tif 000002
【実用新案登録請求の範囲】
【請求項１】
透光性を有する材料で形成された植栽容器の内部に照明装置を設置して、容器の内部から植物を照明する様にした植栽容器であって、さらに、以下の構成をも備えたことを特徴とする照明付き植栽容器。
（１）ＬＥＤ発光ユニットを収納した下段容器を備えたこと。
（２）前記下段容器の上に脱着可能で、内部に水を収容できる中段容器を備えたこと。
（３）前記中段容器の上に着脱可能で、植物を植えるための植え込み材料を収納する植え込み部を備えると共に、底面給水方式により、前記中段容器内の水を給水して前記植え込み部を灌水することのできる上段容器を備えたこと。
【請求項２】
さらに、以下の構成をも備えたことを特徴とする請求項１記載の照明付き植栽容器。
（４）前記下段容器内のＬＥＤ発光ユニットは、電池ボックスの上に制御基板を設置し、その上に、ＬＥＤランプを下方から包み込む様に縁が湾曲又は屈曲した反射板を備え、該反射板の中心部に前記ＬＥＤランプを着脱可能に取り付ける様に構成したこと。
【請求項３】
さらに、以下の構成をも備えたことを特徴とする請求項１又は２記載の照明付き植栽容器。
（５）前記下段容器、中段容器及び上段容器は、上に位置する容器の底面縁部に突設したダボと、下に位置する容器の側壁上端に形成したダボ孔とによって互いに脱着可能となる様に構成したこと。
【請求項４】
テーブル、カウンター、飾り棚等の天板であって、さらに、以下の構成をも備えたことを特徴とする植栽容器を収納した照明付き天板。
（６）前記天板を透光性材料で形成すること。
（７）前記天板の所定位置に植裁容器を着脱可能に収納できる植裁容器収納穴を設け、該植裁容器収納穴に、請求項１〜４のいずれか記載の照明付き植裁容器を収納したこと。
【請求項５】
テーブル、カウンター、飾り棚等の天板であって、さらに、以下の構成をも備えたことを特徴とする植栽容器を収納した照明付き天板。
（８）前記天板を透光性材料で形成すること。
（９）前記天板の下部にＬＥＤ発光ユニットを収納した下段スペースを備えたこと。
（１０）前記下段スペースの上に内部に水を収容することができる中段スペースを備えたこと。
（１１）前記天板の所定位置に植裁容器を着脱可能に収納できる植裁容器収納穴を設け、該植裁容器収納穴に、請求項１〜４のいずれか記載の照明付き植裁容器の中段容器以上の部分を収納したこと。
（１２）前記下段スペースのＬＥＤ発光ユニットは、前記植栽容器収納穴の直下にも設置されていること。
【請求項６】
テーブル、カウンター、飾り棚等の天板であって、さらに、以下の構成をも備えたことを特徴とする植栽容器を収納した照明付き天板。
（１３）前記天板を透光性材料で形成すること。
（１４）前記天板の下部にＬＥＤ発光ユニットを収納した下段スペースを備えたこと。
（１５）前記下段スペースの上に内部に水を収容することができる中段スペースを備えたこと。
（１６）前記天板の所定位置に植裁容器を着脱可能に収納できる植裁容器収納穴を設け、該植裁容器収納穴に、請求項１〜４のいずれか記載の照明付き植裁容器の上段容器以上の部分を収納したこと。
（１７）前記中段スペースは、前記植栽容器収納穴に連通していること。
【考案の詳細な説明】
【技術分野】
【０００１】
本考案は、ホテルのロビーや、オフィス、レストラン、リビング、書斎、寝室等のあらゆる生活シーンに快適さを演出するための、観賞用植物の栽培装置に関するものである。
【背景技術】
【０００２】
従来、観賞用植物と照明とを用いて生活シーンに快適さを演出するために、各種の提案がなされている。
【０００３】
特許文献１は、容器の外側に、照明１０１と造花を取り付けたものを提案している（図７参照）。
【０００４】
特許文献２は、容器を構成する底部に高輝度発光ダイオード１０２を適宜数備え、外部電源より給電することで、水耕栽培で使用されるカラフルな人工栽培用土の色彩を鮮やかに見せる照明付植木鉢及び鉢受け皿を提案している（図７参照）。
【０００５】
特許文献３は、鉢から照明具１０３を立設したものを提案している（図７参照）。
【０００６】
特許文献４は、透光性の情報付設部分を内側から照明するとともに、植物を下方から照射する光源１０４を備えたものを提案している（図８参照）。
【０００７】
特許文献５は、植木鉢内部の上部に電球１０５を設け、半透明部位を通して植物全体を照らせるようにしたものを提案している（図８参照）。
【０００８】
特許文献６は、照明器具１０６の本体の外周に、コップ状のグローブを設け、そのグローブ内に、脚付きのポットを設けたものを提案している（図７参照）
【特許文献１】特開平１１−２２５５８０（要約、図１〜図４）
【特許文献２】特開２００４−１９４６３１（要約、図１〜図４）
【特許文献３】特開平１０−３１３６８９（要約、図１）
【特許文献４】特開平５−２１９８３７（要約、図２，図３）
【特許文献５】実用新案登録第３００３００７号（要約、図１）
【特許文献６】実開平６−３０５１（要約、図１）
【考案の開示】
【考案が解決しようとする課題】
【０００９】
特許文献１及び３は、屋外の樹木に対するライトアップの手法を室内に飾る植栽に応用しただけに過ぎない
【００１０】
特許文献２，４，５及び６のものは、鉢を通して見える透過光を利用している点で、室内特有の効果が発揮される。しかしながら、特許文献２，４及び５のものは、鉢に設けた密閉空間内に照明器具を設置するため、製造が困難であり、メンテナンスもやり難いという問題がある。また、特許文献６のものは、照明器具としての効果を狙ったものに過ぎない。
【００１１】
そこで、本考案は、従来の植栽容器よりもさらに、快適な生活シーンを演出でき、しかも、メンテナンスも容易な照明付き植栽容器及び植裁容器を収納した照明付き天板を提供することを目的とするものである。
【課題を解決するための手段】
【００１２】
上記目的を達成するためになされた本考案の照明付き植栽容器は、透光性を有する材料で形成された植栽容器の内部に照明装置を設置して、容器の内部から植物を照明する様にした植栽容器であって、さらに、以下の構成をも備えたことを特徴とする。
（１）ＬＥＤ発光ユニットを収納した下段容器を備えたこと。
（２）前記下段容器の上に脱着可能で、内部に水を収容できる中段容器を備えたこと。
（３）前記中段容器の上に着脱可能で、植物を植えるための植え込み材料を収納する植え込み部を備えると共に、底面給水方式により、前記中段容器内の水を給水して前記植え込み部を灌水することのできる上段容器を備えたこと。
【００１３】
本考案の照明付き植栽容器によれば、セラミックスボールなどの植え込み材料を収納し、植物を植えた上段容器と、底面給水用の水を収容した中段容器と、ＬＥＤ発光ユニットを収納した下段容器とを別体としたことで、ＬＥＤユニットの防水を達成しつつ、給水の補充や、ＬＥＤランプの交換、電池式における電池交換等を容易に実施することができる。また、ＬＥＤランプの照明は、中段容器の水の層を通して植物を照らし、また、容器から外部へ漏れるので、水の層を通ることで、水面の揺れや屈折、乱反射により、単にＬＥＤが発する光よりも、雰囲気のある光を放つことができる。
【００１４】
本考案の照明付き植裁容器において、さらに、以下の構成をも備える様にするとよい。
（４）前記下段容器内のＬＥＤ発光ユニットは、電池ボックスの上に制御基板を設置し、その上に、ＬＥＤランプを下方から包み込む様に縁が湾曲又は屈曲した反射板を備え、該反射板の中心部に前記ＬＥＤランプを着脱可能に取り付ける様に構成したこと。
【００１５】
反射板により、水の層を通して光を放つ効果を高めることができ、電池式により、任意の場所に設置することができる。
【００１６】
なお、本考案の照明付き植裁容器において、さらに、以下の構成をも備えると、構造簡単にして容易に着脱することができる。
（５）前記下段容器、中段容器及び上段容器は、上に位置する容器の底面縁部に突設したダボと、下に位置する容器の側壁上端に形成したダボ孔とによって互いに脱着可能となる様に構成したこと。
【００１７】
また、上記目的を達成するためになされた本考案の照明付き天板は、テーブル、カウンター、飾り棚等の天板であって、さらに、以下の構成をも備えたことを特徴とする。
（６）前記天板を透光性材料で形成すること。
（７）前記天板の所定位置に植裁容器を着脱可能に収納できる植裁容器収納穴を設け、該植裁容器収納穴に、請求項１〜４のいずれか記載の照明付き植裁容器を収納したこと。
【００１８】
この照明付き天板によれば、上述した照明付き植裁容器による植物と光によるリラクゼーション効果などを発揮することができ、ホテルのロビーのテーブルや、バーカウンターなど、夜の待ち合わせや飲食等の場に最適なものとなる。
【００１９】
同じく上記目的を達成するためになされた本考案の照明付き天板は、テーブル、カウンター、飾り棚等の天板であって、さらに、以下の構成をも備えたことを特徴とする。
（８）前記天板を透光性材料で形成すること。
（９）前記天板の下部にＬＥＤ発光ユニットを収納した下段スペースを備えたこと。
（１０）前記下段スペースの上に内部に水を収容することができる中段スペースを備えたこと。
（１１）前記天板の所定位置に植裁容器を着脱可能に収納できる植裁容器収納穴を設け、該植裁容器収納穴に、請求項１〜４のいずれか記載の照明付き植裁容器の中段容器以上の部分を収納したこと。
（１２）前記下段スペースのＬＥＤ発光ユニットは、前記植栽容器収納穴の直下にも設置されていること。
【００２０】
同じく上記目的を達成するためになされた本考案の照明付き天板は、テーブル、カウンター、飾り棚等の天板であって、さらに、以下の構成をも備えたことを特徴とする。
（１３）前記天板を透光性材料で形成すること。
（１４）前記天板の下部にＬＥＤ発光ユニットを収納した下段スペースを備えたこと。
（１５）前記下段スペースの上に内部に水を収容することができる中段スペースを備えたこと。
（１６）前記天板の所定位置に植裁容器を着脱可能に収納できる植裁容器収納穴を設け、該植裁容器収納穴に、請求項１〜４のいずれか記載の照明付き植裁容器の上段容器以上の部分を収納したこと。
（１７）前記中段スペースは、前記植栽容器収納穴に連通していること。
【００２１】
これらの照明付き天板は、天板全体が水の層を通したＬＥＤによる光の饗宴を楽しむことができ、しかも、植物を底面給水方式にて栽培することもでき、水の補充等も容易である。
【考案の効果】
【００２２】
本考案によれば、従来のよりもさらに、快適な生活シーンを演出でき、しかも、メンテナンスも容易である。
【考案を実施するための最良の形態】
【００２３】
以下、本考案を具体化した実施形態を図面を参照しながら詳細に説明する。第１実施形態としての照明付き植裁容器１は、図１〜図３に示す様に、透光性を有する材料で形成された容器本体２の内部に照明装置３を設置して、内部から植物４を照明する様にしたものであって、さらに、以下の構成をも備えている。
【００２４】
容器本体２は、透明なプラスチック材料を射出成形して製造したものであって、上段容器１０と、中段容器２０と、下段容器３０とから構成され、全体として直方体に構成されている。
【００２５】
上段容器１０は、中央に、植物４を植えるための植え込み材料１１を収納する直方体形状の空間を形成する植え込み部１２を備えている。この植え込み部１２の底面１３の中央には給水穴１４が開けられ、底面給水のための給水ロープ１５を下方に垂らすことができる様になっている。なお、植え込み部１２の底面１３は、上段容器１０の外壁１６の下端よりも高い位置となる様に構成されている。また、外壁１６の下端４辺の各中央には、円柱状のダボ１７が下方に向かって突設されている。
【００２６】
中段容器２０は、内部に水を収容することができる直方体状の器を構成し、外壁２１の上端面の各中央には、上述した上段容器１０のダボ１７と嵌合するダボ孔２２が設けられている。また、底面２３の４辺の中央には、円柱状のダボ２４が下方に向かって突設されている。
【００２７】
下段容器３０は、中段容器２０とほぼ同様の寸法形状からなり、外壁３１の上端面の各中央には、上述した中段容器２０のダボ２４と嵌合するダボ孔３２が設けられている。
【００２８】
この下段容器３０の内部には、照明装置３としてのＬＥＤ発光ユニット４０が収納されている。ＬＥＤ発光ユニット４０は、電池ボックス４１と、この電池ボックス４１の上に設置される制御基板４２と、この制御基板４２の上に設置される反射板４３と、この反射板４３の中央に設置されるＬＥＤランプ４４とから構成されている。反射板４３は、ＬＥＤランプ４４を下方から包み込む様に縁が屈曲されたお皿状のものである。なお、ＬＥＤランプ４４にはフルカラーＬＥＤを採用する。
【００２９】
本実施形態の照明付き植裁容器１は、上述の様に構成したので、上段容器１０、中段容器２０及び下段容器３０は、ダボとダボ孔とによって互いに脱着可能である。また、ＬＥＤユニット４０を収納した下段容器３０は、水を収容した中段容器２０とは別体で仕切られているので、防水が達成されている。よって、給水の補充や、ＬＥＤランプ４４の交換、電池交換等を容易に実施することができる。また、ＬＥＤランプ４４の照明は、中段容器２０の水の層を通して植物４を照らし、また、容器本体２から外部へ漏れる。水の層を通ることで、水面の揺れや屈折、乱反射により、単にＬＥＤが発する光よりも、雰囲気のある光を放つことができる。
【００３０】
次に、第２実施形態について説明する。第２実施形態は、バーカウンターやロビーのテーブル等に利用することのできる照明付き天板５０に関するもので、図４に示す様に、天板本体５１を透明プラスチックあるいは透明ガラス等の透光性材料で形成してある。そして、天板本体５１の左右の端に、第１実施形態の照明付き植裁容器１を着脱可能に収納することのできる植栽容器収納穴５２を備えている。
【００３１】
この第２実施形態の照明付き天板５０によれば、第１実施形態で説明した神秘的な光の演出を、天板自体を通して体験することができる。
【００３２】
次に、第３実施形態について説明する。第３実施形態も、バーカウンターやロビーのテーブル等に利用することのできる照明付き天板６０に関するもので、図５に示す様に、天板本体６１を透明プラスチックあるいは透明ガラス等の透光性材料で形成してある。そして、天板本体６１の左右の端に、第１実施形態の照明付き植裁容器１の中段以上の部分をを着脱可能に収納することのできる植栽容器収納穴６２を備えている。
【００３３】
また、天板本体６１の下部にＬＥＤ発光ユニット６３を収納した下段スペース６４を備えている。そして、この下段スペース６４の上に内部に水を収容することができる中段スペース６５を備えていること。下段スペース６４は、天板本体６１の全体に渡って形成されているが、中段スペース６５は、植裁容器収納穴６２より内側の部分だけに形成されている。なお、ＬＥＤ発光ユニット６３には、フルカラーＬＥＤを採用する。
【００３４】
この第３実施形態の照明付き天板６０によれば、天板自体が全体に発光し、しかも、その光は、水のゆらぎを通して視認されるので、演出効果の高いものとなる。
【００３５】
次に、第４実施形態について説明する。第４実施形態も、バーカウンターやロビーのテーブル等に利用することのできる照明付き天板７０に関するもので、図６に示す様に、天板本体７１を透明プラスチックあるいは透明ガラス等の透光性材料で形成してある。そして、天板本体７１の左右の端に、第１実施形態の照明付き植裁容器１の上段以上の部分をを着脱可能に収納することのできる植栽容器収納穴７２を備えている。
【００３６】
また、天板本体７１の下部にＬＥＤ発光ユニット７３を収納した下段スペース７４を備えている。そして、この下段スペース７４の上に内部に水を収容することができる中段スペース７５を備えていること。本実施形態では、下段スペース７４及び中段スペース７５は、天板本体７１の全体に渡って形成されている。即ち、中段スペース７４は、植裁容器収納穴７２に連通している。なお、本実施形態においても、ＬＥＤ発光ユニット７３には、フルカラーＬＥＤを採用する。
【００３７】
この第４実施形態の照明付き天板７０によれば、天板自体が全体に発光し、しかも、その光は、水のゆらぎを通して視認されるので、演出効果の高いものとなる。
【００３８】
以上、考案を実施するための最良の形態としての一実施形態を説明したが、本考案は、これに限定されるものではなく、その要旨を逸脱しない範囲内における種々の変更が可能である。
【００３９】
例えば、ＬＥＤとしてはフルカラーのものを用いなくてもよい。また、容器の外面に文字や絵柄などを施して、ＬＥＤの光によって浮き上がる様に構成してもよい。
【図面の簡単な説明】
【００４０】
【図１】第１実施形態の照明付き植裁容器の斜視図である。
【図２】第１実施形態の照明付き植裁容器の断面図である。
【図３】第１実施形態の照明付き植裁容器の分解斜視図である。
【図４】第２実施形態の照明付き天板を示し、（Ａ）は斜視図、（Ｂ）は断面図である。
【図５】第３実施形態の照明付き天板を示し、（Ａ）は斜視図、（Ｂ）は断面図である。
【図６】第４実施形態の照明付き天板を示し、（Ａ）は斜視図、（Ｂ）は断面図である。
【図７】従来の照明付き植裁容器の説明図である。
【図８】従来の照明付き植裁容器の説明図である。
【符号の説明】
【００４１】
１・・・照明付き植裁容器  ２・・・容器本体  ３・・・照明装置  ４・・・植物
１０・・・上段容器  １１・・・植え込み材料  １２・・・植え込み部
１３・・・底面  １４・・・給水穴  １５・・・給水ロープ  １６・・・外壁
１７・・・ダボ  ２０・・・中段容器  ２１・・・外壁  ２２・・・ダボ孔
２３・・・底面  ２４・・・ダボ  ３０・・・下段容器  ３１・・・外壁
３２・・・ダボ孔  ４０・・・ＬＥＤ発光ユニット  ４１・・・電池ボックス
４２・・・制御基板  ４３・・・反射板  ４４・・・ＬＥＤランプ
５０・・・照明付き天板  ５１・・・天板本体  ５２・・・植栽容器収納穴
６０・・・照明付き天板  ６１・・・天板本体  ６２・・・植栽容器収納穴
６３・・・ＬＥＤ発光ユニット  ６４・・・下段スペース  ６５・・・中段スペース
７０・・・照明付き天板  ７１・・・天板本体  ７２・・・植栽容器収納穴
７３・・・ＬＥＤ発光ユニット  ７４・・・下段スペース  ７５・・・中段スペース
【図１】
0003119789.tif 000003
【図２】
0003119789.tif 000004
【図３】
0003119789.tif 000005
【図４】
0003119789.tif 000006
【図５】
0003119789.tif 000007
【図６】
0003119789.tif 000008
【図７】
0003119789.tif 000009
【図８】
0003119789.tif 000010